(57)【要約】【課題】広角端画角は１１０°を超えるズームレンズにおいて、第１群と第４群の小型化を実現した広角ズームレンズを提供すること。【解決手段】物体から順に、負の屈折力の第１レンズ群、正の屈折力の第２レンズ群、負の屈折力の第３レンズ群、正の屈折力の第４レンズ群を有し、第２レンズ群は最も物体側が正の屈折力を持つレンズと最も像側が負の屈折力を持つレンズの複数レンズで構成し、第４レンズ群内に少なくとも一面に非球面を有し、以下の条件式を満たすことを特徴とする広角ズームレンズ。条件式  0.15  ≦  D1Sw／OVLw  ≦  0.3    D1Sw：被写体距離無限遠における広角端での第１レンズ群の最も像面側の面から絞りまでの距離、OVLw：広角端でレンズ系の全長【選択図】図１
2010249959.tif 000002
【特許請求の範囲】
【請求項１】
物体から順に、負の屈折力の第１レンズ群、正の屈折力の第２レンズ群、負の屈折力の第３レンズ群、正の屈折力の第４レンズ群を有し、各レンズ群を移動させて変倍を行い、前記第１レンズ群は、負の屈折力の第１レンズ群の前群レンズ群及び負の屈折力の第１レンズ群の後群レンズ群によって構成し、無限遠物体から近距離へのフォーカシングを第１レンズ群の後群レンズ群を物体側へ移動させて行い、第２レンズ群は最も物体側が正の屈折力を持つレンズと最も像側が負の屈折力を持つレンズの複数レンズで構成し、第４レンズ群は最も物体側が正の屈折力を持つレンズと最も像側が負の屈折力を持つレンズで複数レンズ構成し、第４レンズ群内に少なくとも一面に非球面を有し、以下の条件式を満たすことを特徴とする広角ズームレンズ。
条件式  0.15  ≦  D1Sw／OVLw  ≦  0.3
但し、
D1Sw：被写体距離無限遠における広角端での第１レンズ群の最も像面側の面から絞りまでの距離
OVLw：広角端でレンズ系の全長（最も物体側の面から最も像面側の面までの長さ）
【発明の詳細な説明】
【技術分野】
【０００１】
本発明は、広角ズームレンズ、さらに詳しくは、画角１０７°を超える一眼レフデジタルカメラ用の超広角で、ズーム比が２倍超える広角ズームレンズに関する。
【背景技術】
【０００２】
従来の一眼レフレックスカメラ用超広角ズームレンズとしては、物体側から像側へ順に、負の屈折力の第１レンズ群、正の屈折力の第２レンズ群、負の屈折力の第３レンズ群、正の屈折力の第４レンズ群を有し、広角端より望遠端へのズーミングに際し、前記第１レンズ群と第２レンズ群の間隔が減少し、前記第２レンズ群と第３レンズ群の間隔が増大し、前記第３レンズ群と第４レンズ群の間隔が減少するズームレンズであって、広角端におけるバックフォーカスをｂｆｗ、広角端における全系の焦点距離をｆｗ、第２レンズ群と第４レンズ群の焦点距離を各々ｆ２，ｆ４とするとき、
２．９＜ｂｆｗ／ｆｗ＜５．０
３．１＜ｆ４／ｆｗ＜４．５
０．１＜ｆｗ／ｆ２＜０．４２
なる条件を満足することを特徴とするズームレンズが提案されている（例えば、特許文献１参照）。
【先行技術文献】
【特許文献】
【０００３】
【特許文献１】特開２００６−０３９５３１号広報
【０００４】
これらの従来の広角ズームレンズは、負、正、負、正の屈折力を持つレンズ群からなる４群ズームレンズタイプである。これらの従来の広角ズームレンズにおいては、広角端の画角が１００°を超えると共に、２倍以上のズーム比を実現しようとしている。すなわち、特許文献１には、広角端の画角が１０５．８°程度、ズーム比１．９５〜２．３６程度が開示されている。
【発明の開示】
【発明が解決しようとする課題】
【０００５】
特許文献１によって提案されている広角ズームレンズは、最も物体側のレンズは負の屈折力が強くなるように設定しており、広角端の画角が１０５°程度であり、前枠の有効径を小さく抑えることができる。等の利点を有しているが、しかしながら、第１群と絞りの距離は遠いので、広角端の画角はさらに大きくな広い画角と第1群の小型化を両立することが困難となる。
【０００６】
（発明の目的）
本発明はこれらの従来例を鑑みなされたもので、広角端画角は１１０°を超えるズームレンズにおいて、第１群と第４群の小型化を実現した広角ズームレンズを提供することを目的とする。
【課題を解決するための手段】
【０００７】
本発明は、物体から順に、負の屈折力の第１レンズ群の前群Ｇｒ１Ａレンズ群、負の屈折力の第１レンズ群の後群Ｇｒ１Ｂレンズ群、正の屈折力第２レンズ群、負の屈折力第３レンズ群、正の屈折力第４レンズ群を有し、各レンズ群を移動させて変倍を行い、無限遠物体から近距離へのフォーカシングを第1群の後群Ｇｒ１Ｂレンズ群を物体側へ移動させて行い、第２レンズ群は最も物体側が正の屈折力を持つレンズと最も像側が負の屈折力を持つレンズで複数レンズで構成し、第４レンズ群は最も物体側が正の屈折力を持つレンズと最も像側が負の屈折力を持つレンズで複数レンズ構成し、第４群群内に少なくとも一面に非球面を有し、以下の条件式を満たすことを特徴とする広角ズームレンズ。
条件式  0.15  ≦  D1Sw／OVLw  ≦  0.3
但し、D1Sw：被写体距離無限遠における広角端での第１レンズ群の最も像面側の面から絞りまでの距離
OVLw：広角端でレンズ系の全長（最も物体側の面から最も像面側の面までの長さ）
である。
【０００８】
（発明の条件式の説明）
広角端画角１１０°以上を確保すること、かつ第１群と第４群の有効径を小型化することの両立をはかるため、条件式を規定した。
条件式の下限を超えると、広角端で、第１群の小型化がし易いが、第４群の有効径が大きくなり、最大像高の主光線の結像面への入射角度が小さ過ぎることになる。条件式の下限を超えると、さらに、結像面への入射角度が浅くなり過ぎ、撮像素子の最適入射角度から外れる問題が発生する。
条件式の上限を超えると、第４群の小型化はし易いやすいが、第１群の小型化が困難となる。条件式の上限を超えると、さらに、球面収差、非点収差、ディストーション等が発生する。
条件式を  0.2  ≦  D1Sw／OVLw  ≦  0.25
とすると、本発明の効果をより確実なものとすることができる。
【０００９】
（第２群構成）
第４群の有効径を小さく抑えるため、第２レンズ群は最も物体側が正の屈折力を持つレンズと最も像側が負の屈折力を持つレンズで複数レンズ構成した。すなわち、図１３（Ａ）に示すように、前方（被写体側）に正パワーレンズ部１００を配置し、後方（結像側）に負パワーレンズ部１１０を配置すると、該光学系の後方側領域において光線Ｌの高さが低くなり、後方側領域のレンズの外径を小さくすることができる。逆に、図１３（Ｂ）に示すように、前方（被写体側）に負パワーレンズ部１１０を配置し、後方（結像側）に正パワーレンズ部１００を配置すると、該光学系の後方側領域において光線Ｌの高さが高くなり、後方側領域のレンズの外径が大きくなってしまう。
【００１０】
（第４群構成）
第４群の有効径を抑えることと色収差を補正するため、第４レンズ群は少なくとも２枚正レンズと２枚負レンズを有し、レンズの構成は、最も物体側が正の屈折力を持つレンズと最も像側が負の屈折力を持つレンズで複数レンズ構成した。コマ収差と歪曲収差を補正するため、第４群の少なくとも一面を非球面とした。
【発明の効果】
【００１１】
本発明の広角ズームレンズにおいては、広角端画角は１１０°を超えるズームレンズにおいて、第１群と第４群の小型化を実現した広角ズームレンズを構成することができる。
【図面の簡単な説明】
【００１２】
【図１】第１実施形態の広角ズームレンズの光学構成図である。
【図２】第１実施形態の広角ズームレンズの広角端の球面収差、非点収差、歪曲収差及び倍率色収差を示す収差図である。
【図３】第１実施形態の広角ズームレンズの望遠端の球面収差、非点収差、歪曲収差及び倍率色収差を示す収差図である。
【図４】第２実施形態の広角ズームレンズの光学構成図である。
【図５】第２実施形態の広角ズームレンズの広角端の球面収差、非点収差、歪曲収差及び倍率色収差を示す収差図である。
【図６】第２実施形態の広角ズームレンズの望遠端の球面収差、非点収差、歪曲収差及び倍率色収差を示す収差図である。
【図７】第３実施形態の広角ズームレンズの光学構成図である。
【図８】第３実施形態の広角ズームレンズの広角端の球面収差、非点収差、歪曲収差及び倍率色収差を示す収差図である。
【図９】第３実施形態の広角ズームレンズの望遠端の球面収差、非点収差、歪曲収差及び倍率色収差を示す収差図である。
【図１０】第４実施形態の広角ズームレンズの光学構成図である。
【図１１】第４実施形態の広角ズームレンズの広角端の球面収差、非点収差、歪曲収差及び倍率色収差を示す収差図である。
【図１２】第４実施形態の広角ズームレンズの広角端の球面収差、非点収差、歪曲収差及び倍率色収差を示す収差図である。
【図１３】本発明の第４レンズ群構成の原理説明図である。
【発明を実施するための最良の形態】
【００１３】
以下に、本発明の広角ズームレンズの実施形態及びその収差状況を説明する。
（第１実施形態）
第１実施形態にかかる広角ズームレンズは、図１に示す構成を有する。各レンズ面の曲率半径R（mm）、各レンズ中心厚及びレンズの空気間隔D（mm）、各レンズのd線における屈折率Nd及びアッベ数ABVの値は、以下のとおりである。
【００１４】
焦点距離：10.29〜15.5952〜23.3915
FNO：3.6〜4.15〜4.6
2ω：111.4〜85.4〜62.6
S            R          D            Nd       ABV
1 ASPH     90.9531     3.0000      1.74690   49.22
2 ASPH     13.3000    17.4155
3        -347.3422     1.1000      1.83944   42.72
4          27.7720     0.2500      1.51700   49.96
5 ASPH     32.9778     0.8225
6          20.1105     4.8835      1.70444   30.05
7          45.1356        D7
絞り        0.0000     1.6767
9         -70.4744     2.4522      1.69416   31.16
10         -14.1708     0.8000      1.88815   40.80
11         -37.7808     0.1500
12          33.1737     3.7557      1.59142   61.25
13         -14.2611     0.8000      1.81184   33.27
14         -28.6675        D14
15         -29.8948     0.8000      1.80831   46.50
16          23.7239     2.5836      1.93325   20.88
17         240.6296        D17
18          40.3874     4.8044      1.49845   81.61
19         -35.6422     0.1500
20          49.4590     0.8000      1.91048   31.31
21          17.3129    11.6398      1.49845   81.61
22         -14.5130     0.8000      1.91048   31.31
23         -20.5428     0.2000
24 ASPH    -34.8009     0.2000      1.51700   49.96
25         -31.4677     1.3000      1.83930   37.34
26         -38.5550
【００１５】
焦点距離：10.2935    15.5952    23.3915
可変間隔
D7             21.974     11.228     4.641
D14             1.000      7.723    14.519
D17            10.742      5.812     0.900
【００１６】
ASPHは、非球面を示し、以下の式（式１）で示される。
（式１）
2010249959.tif 000003
ｚ：非球面深さ
ｙ：高さ
Ｒ：近軸曲率半径
Ｋ、Ａ、Ｂ、Ｃ、Ｄ：非球面係数
【００１７】
非球面係数
面1
K  :  -21.703831
A  :0.137414E-04   B  :-.284986E-07   C  :0.473022E-10   D  :-.418229E-13
E  :0.157785E-16
面2
K  :   -0.864034
A  :0.743621E-06   B  :0.628016E-07   C  :-.187456E-09   D  :0.315824E-12
E  :0.773230E-15
面5
K  :    1.512115
A  :0.292118E-04   B  :-.127860E-06   C  :0.842074E-09   D  :-.326732E-11
E  :0.634290E-14
面24
K  :   -0.150085
A  :-.101962E-04   B  :0.106224E-07   C  :0.235188E-10   D  :0.177170E-12
【００１８】
第１実施形態の広角ズームレンズの各レンズの焦点距離は、以下のとおりである。
群の焦点距離
第1群：  -15.253
第2群：  32.183
第3群：  -38.7101
第4群：  32.558
Gr1a：  -21.94
Gr1b： -104.94
【００１９】
広角端で
第2，3群合成焦点距離：  148.639
第2，3，4群合成焦点距離：31.483
第1,2,3群合成群焦点距離：-23.355
第1,2,3群合成群と4群の主点位置間間隔：83.074
レンズ全長：94.1
望遠端で
第2、3群の合成焦点距離：56.887
【００２０】
第１実施形態の広角ズームレンズの第１1面の形状は、以下のとおりである。
有効径    法線角度
2010249959.tif 000004
【００２１】
第１実施形態の広角ズームレンズの条件式の値は、以下のとおりである。
条件式           D1Sw／OVLw＝0.234
第２群の構成    （正負）（正負）
第４群の構成      正（負正負）負
【００２２】
第１実施形態の広角ズームレンズの広角端の球面収差、非点収差、歪曲収差及び倍率色収差を図２を示す。第１実施形態の広角ズームレンズの望遠端の球面収差、非点収差、歪曲収差及び倍率色収差を図３を示す。
【００２３】
（第２実施形態）
第２実施形態の広角ズームレンズは、図４に示す構成を有する。各レンズ面の曲率半径R（mm）、各レンズ中心厚及びレンズの空気間隔D（mm）、各レンズのd線における、屈折率Nd及びアッベ数ABVは、以下のとおりである。
【００２４】
焦点距離：10.29〜15.60〜23.39
FNO：3.6〜4.15〜4.6
2ω：111.36〜85.71〜62.88
S            R          D         Nd       ABV
1 ASPH     98.2835     3.0000   1.74330   49.22
2 ASPH     13.3000    17.0621
3        -375.8017     1.1000   1.83481   42.72
4          26.2992     0.2500   1.51460   49.96
5 ASPH     31.3128     0.8586
6          19.4744     4.2180   1.69895   30.05
7          44.8215      D7
8           0.0000     1.6811
9         -69.6742     2.4945   1.68893   31.16
10         -13.8558     0.8000   1.88300   40.80
11         -37.5514     0.1500
12          33.6029     3.7863   1.58913   61.25
13         -14.1772     0.8000   1.80610   33.27
14         -28.4616      D14
15         -31.0253     0.8000   1.80420   46.50
16          23.9527     2.5703   1.92286   20.88
17         237.9034      D17
18          41.0664     4.5125   1.49700   81.61
19         -35.8367     0.1500
20          49.9837     0.9000   1.90366   31.31
21          17.1665    11.7603   1.49700   81.61
22         -14.5000     1.1000   1.90366   31.31
23         -21.0822     0.2000
24 ASPH    -50.4122     0.2000   1.51460   49.96
25         -44.1195     1.8000   1.83400   37.34
26         -53.8351
【００２５】
焦点距離：10.29      15.60      23.40
可変間隔
D7             22.0922     11.2672     4.7266
D14             0.9588      7.5245    14.2504
D17            10.8553      5.8392     0.800
【００２６】
非球面係数
面1
K  :  -30.868200
A  :0.147706E-04   B  :-.260370E-07   C  :0.377473E-10   D  :-.300023E-13
E  :0.107463E-16
面2
K  :   -1.240297
A  :0.207897E-04   B  :0.298769E-07   C  :0.267684E-09   D  :-.163367E-11
E  :0.372598E-14
面5
K  :    2.187192
A  :0.313924E-04   B  :-.202309E-06   C  :0.158321E-08   D  :-.733956E-11
E  :0.139279E-13
面24
K  :   -0.780042
A  :-.942956E-05   B  :0.141825E-07   C  :0.244817E-10   D  :0.194500E-12
【００２７】
第２実施形態の広角ズームレンズの各レンズの焦点距離は、以下のとおりである。
群の焦点距離
第1群：  -15.085
第2群：  32.5574
第3群：  -40.0929
第4群：  33.0051
Gr1a：  -21.0097
Gr1b： -102.427
【００２８】
広角端で
第2，3群合成焦点距離：  140.206
第2，3，4群合成焦点距離：31.626
第1,2,3群合成群焦点距離：-24.033
第1,2,3群合成群と4群の主点位置間間隔：86.032
レンズ全長：94.1
望遠端で
第2、3群の合成焦点距離：57.754
【００２９】
第２実施形態の広角ズームレンズの第１1面の形状は、以下のとおりである。
有効径      法線角度
2010249959.tif 000005
【００３０】
第２実施形態の広角ズームレンズの条件式の値は、以下のとおりである。
条件式           D1Sw／OVLw＝0.235
第２群の構成    （正負）（正負）
第４群の構成      正（負正負）負
【００３１】
第２実施形態の広角ズームレンズの広角端の球面収差、非点収差、歪曲収差及び倍率色収差を図５を示す。第２実施形態の広角ズームレンズの望遠端の球面収差、非点収差、歪曲収差及び倍率色収差を図６を示す。
【００３２】
（第３実施形態）
第１実施形態にかかる広角ズームレンズは、図７に示す構成を有する。各レンズ面の曲率半径R（mm）、各レンズ中心厚及びレンズの空気間隔D（mm）、各レンズのd線における屈折率Nd及びアッベ数ABVの値は、以下のとおりである。
【００３３】
焦点距離：10.29〜15.60〜23.39
FNO：3.6〜4.15〜4.6
2ω：111.38〜85.4〜62.63
S            R          D           Nd       ABV
1 ASPH     91.2892     3.0000     1.74330   49.22
2 ASPH     13.3000    17.1746
3        -550.1946     1.1000     1.83481   42.72
4          26.8414     0.2500     1.51460   49.96
5 ASPH     31.7796     0.8380
6          19.6685     4.8948     1.69895   30.05
7          43.3886      D7
8           0.0000     1.6759
9         -70.7449     2.4534     1.68893   31.16
10         -14.1775     0.8000     1.88300   40.80
11         -37.9248     0.1500
12          33.1085     3.7574     1.58913   61.25
13         -14.2673     0.7937     1.80610   33.27
14         -28.7457      D14
15         -29.9856     0.8000     1.80420   46.50
16          23.8293     2.5887     1.92286   20.88
17         241.4124      D17
18          40.5319     4.7504     1.49700   81.61
19         -35.4136     0.1500
20          49.8255     0.9000     1.90366   31.31
21          17.3000    11.4746     1.49700   81.61
22         -14.5000     0.9000     1.90366   31.31
23         -20.5448     0.2000
24 ASPH    -34.3632     0.2000     1.51460   49.96
25         -31.0708     1.3000     1.83400   37.34
26         -37.8865
【００３４】
焦点距離：10.29      15.60      23.40
可変間隔
D7            22.252     11.5339    4.8871
D14            1.000      7.8478   14.5915
D17           10.6954     5.7013    0.800
【００３５】
非球面係数
面1
K  :  -23.358778
A  :0.138306E-04   B  :-.284728E-07   C  :0.473046E-10   D  :-.418342E-13
E  :0.157340E-16
面2
K  :   -0.865462
A  :0.617175E-06   B  :0.624054E-07   C  :-.184300E-09   D  :0.328276E-12
E  :0.773908E-15
面5
K  :    1.536049
A  :0.293177E-04   B  :-.126814E-06   C  :0.844851E-09   D  :-.324948E-11
E  :0.634290E-14
面24
K  :   -0.133768   KC :     100
A  :-.102523E-04   B  :0.105589E-07   C  :0.225709E-10   D  :0.159981E-12
【００３６】
第３実施形態の広角ズームレンズの各レンズの焦点距離は、以下のとおりである。
群の焦点距離
第1群：  -15.297
第2群：  32.268
第3群：  -38.818
第4群：  32.560
Gr1a：  -21.294
Gr1b： -106.239
【００３７】
広角端で
第2，3群合成焦点距離：  148.971
第2，3，4群合成焦点距離：31.486
第1,2,3群合成群焦点距離：-23.429
第1,2,3群合成群と4群の主点位置間間隔：83.241
レンズ全長：94.0988
望遠端で
第2、3群の合成焦点距離：56.936
【００３８】
第３実施形態の広角ズームレンズの第１1面の形状は、以下のとおりである。
有効径  法線角度
2010249959.tif 000006
【００３９】
第３実施形態の広角ズームレンズの条件式の値は、以下のとおりである。
条件式            D1Sw／OVLw＝0.236
第２群の構成    （正負）（正負）
第４群の構成      正（負正負）負
【００４０】
第３実施形態の広角ズームレンズの広角端の球面収差、非点収差、歪曲収差及び倍率色収差を図８を示す。第１実施形態の広角ズームレンズの望遠端の球面収差、非点収差、歪曲収差及び倍率色収差を図９を示す。
【００４１】
（第４実施形態）
第４実施形態にかかる広角ズームレンズは、図１０に示す構成を有する。各レンズ面の曲率半径R（mm）、各レンズ中心厚及びレンズの空気間隔D（mm）、各レンズのd線における屈折率Nd及びアッベ数ABVの値は、以下のとおりである。
【００４２】
焦点距離：10.295〜15.598〜23.393
FNO：3.6〜4.15〜4.6
2ω：111.42〜85.5〜62.84
S            R          D              Nd       ABV
1 ASPH     72.8710     3.0000        1.74330   49.22
2 ASPH     12.9000    16.2015
3         770.1839     1.1000        1.88300   40.80
4          26.0522     0.3000        1.53610   41.21
5 ASPH     30.6791     1.1966
6          20.4544     4.7353        1.69895   30.05
7          43.9685      D7
8           0.0000     1.5074
9         -68.4574     2.5124        1.68893   31.16
10         -12.6110     1.7924        1.88300   40.80
11         -37.3079     0.1500
12          34.8661     3.7882        1.58913   61.25
13         -13.8945     0.8000        1.80610   33.27
14         -26.8129      D14
15         -30.4122     0.8000        1.77250   49.62
16          20.1071     2.8524        1.84666   23.78
17         292.4999      D17
18          45.2832     4.3580        1.49700   81.61
19         -36.2850     0.1500
20          48.9769     0.9000        1.90366   31.31
21          17.4000    12.2843        1.49700   81.61
22         -14.3000     1.1000        1.90366   31.31
23         -20.2760     0.2000
24 ASPH    -37.3436     0.3500        1.51460   49.96
25         -32.4182     1.5000        1.58144   40.89
26         -44.7821
【００４３】
焦点距離：10.295      15.598      23.393
可変間隔
D7            21.1006     10.4692    3.7599
D14            0.8270      7.7520   14.2056
D17           11.0939      5.8381    0.800
【００４４】
非球面係数
面1
K  :   -4.855874
A  :0.147578E-04   B  :-.354016E-07   C  :0.454072E-10   D  :-.116025E-13
E  :0.227158E-16   F  :-.308920E-19   G  :-.677424E-22   H  :-.335578E-25
J  :0.137873E-27
面2
K  :   -1.110553
A  :0.277891E-04   B  :0.404370E-07   C  :0.612679E-10   D  :0.362235E-12
E  :-.110342E-13   F  :0.528104E-17   G  :0.320816E-18   H  :0.145731E-21
J  :-.347259E-23
面5
K  :    0.335030
A  :0.226449E-04   B  :-.966072E-07   C  :0.176373E-09   D  :0.114032E-12
E  :0.138279E-14
面24
K  :   -0.608663
A  :-.983362E-05   B  :0.214587E-07   C  :-.114789E-09   D  :0.130510E-11
E  :-.267583E-14
【００４５】
第４実施形態の広角ズームレンズの各レンズの焦点距離は、以下のとおりである。
群の焦点距離
第1群：  -15.199
第2群：  32.3369
第3群：  -40.4942
第4群：  33.2409
Gr1a：  -21.5478
Gr1b：  -95.6574
【００４６】
広角端で
第2，3群合成焦点距離：  143.052
第2，3，4群合成焦点距離：31.312
第1,2,3群合成群焦点距離：-24.561
第1,2,3群合成群と4群の主点位置間間隔：87.987
レンズ全長：94.6
望遠端で
第2、3群の合成焦点距離：58.115
【００４７】
第４実施形態の広角ズームレンズの第１1面の形状は、以下のとおりである。
有効径    法線角度
2010249959.tif 000007
【００４８】
第４実施形態の広角ズームレンズの条件式の値は、以下のとおりである。
条件式            D1Sw／OVLw＝0.223
第２群の構成    （正負）（正負）
第４群の構成      正（負正負）負
【００４９】
第４実施形態の広角ズームレンズの広角端の球面収差、非点収差、歪曲収差及び倍率色収差を図１１を示す。第１実施形態の広角ズームレンズの望遠端の球面収差、非点収差、歪曲収差及び倍率色収差を図１２を示す。
【００５０】
特許文献１の第１実施形態の条件式の値は以下のとおりである。
条件式            D1Sw／OVLw＝0.409
第２群の構成    （負正）正
第４群の構成      正（負正）
【００５１】
特許文献１の第２実施形態の条件式の値は以下のとおりである。
条件式            D1Sw／OVLw＝0.366
第２群の構成    （負正）正
第４群の構成      正（負正）
【００５２】
特許文献１の第３実施形態の条件式の値は以下のとおりである。
条件式            D1Sw／OVLw＝0.348
第２群の構成    （負正）正
第４群の構成      正（負正）
【００５３】
特許文献１の第４実施形態の条件式の値は以下のとおりである。
条件式            D1Sw／OVLw＝0.371
第２群の構成    （負正）正
第４群の構成      正（負正）
【００５４】
特許文献１の第５実施形態の条件式の値は以下のとおりである。
条件式            D1Sw／OVLw＝0.325
第２群の構成    （負正）正
第４群の構成      （正負正）負正
【００５５】
特許文献１の第６実施形態の条件式の値は以下のとおりである。
条件式            D1Sw／OVLw＝0.325
第２群の構成    （負正）正
第４群の構成      正（負正）
【符号の説明】
【００５６】
Ｇｒ１Ａ       第１レンズ群の前群
Ｇｒ１Ｂ       第１レンズ群の後群
【図１】
2010249959.tif 000008
【図２】
2010249959.tif 000009
【図３】
2010249959.tif 000010
【図４】
2010249959.tif 000011
【図５】
2010249959.tif 000012
【図６】
2010249959.tif 000013
【図７】
2010249959.tif 000014
【図８】
2010249959.tif 000015
【図９】
2010249959.tif 000016
【図１０】
2010249959.tif 000017
【図１１】
2010249959.tif 000018
【図１２】
2010249959.tif 000019
【図１３】
2010249959.tif 000020